【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
駆動源と、
前記駆動源によって駆動されるリードスクリューと、
ミラーダウン位置とミラーアップ位置との間を移動可能なミラー部材と、
直進移動することで前記ミラー部材を前記ミラーダウン位置と前記ミラーアップ位置との間で駆動するミラー駆動部材と、
前記リードスクリューが駆動されることで、前記ミラー駆動部材の直進移動を規制する規制状態と、前記規制を解除する規制解除状態とを切り換える規制手段と、を備え、
前記ミラー部材が前記ミラーアップ位置または前記ミラーダウン位置にあるとき、前記ミラー駆動部材を直進移動させることなく、前記規制手段は前記規制状態と前記規制解除状態とを切り換え、
前記規制手段が前記規制状態から前記規制解除状態へ切り換えた後、前記ミラー駆動部材は前記リードスクリューの駆動に連動して直進移動することを特徴とするミラー駆動装置。
【請求項２】
前記規制手段は、前記ミラー駆動部材の直進移動を規制する規制位置と前記規制を解除する規制解除位置との間を移動可能な規制部材と、
前記リードスクリューと噛み合い、前記リードスクリューが駆動されることで直進移動して前記規制部材を前記規制位置と前記規制解除位置との間で駆動する駆動部材と、を備え、
前記ミラー部材がミラーダウン位置に位置するとき、前記規制部材は前記規制位置と前記規制解除位置との間を移動し、
前記リードスクリューが駆動されることで前記駆動部材が直進移動して、前記ミラー駆動部材が直進移動しない第１の駆動領域が設定され、
前記駆動部材は、前記第１の駆動領域にて、前記規制部材を前記規制位置から前記規制解除位置へ駆動することを特徴とする請求項１に記載のミラー駆動装置。
【請求項３】
前記ミラー部材がミラーアップ位置に位置するとき、前記規制部材は前記規制位置に位置し、
前記駆動部材は、前記第１の駆動領域にて、前記規制部材を前記規制位置から前記規制解除位置へ駆動することを特徴とする請求項２に記載のミラー駆動装置。
【請求項４】
前記リードスクリューが回転駆動されることで前記駆動部材および前記ミラー駆動部材が直進移動する第２の駆動領域が設定され、
前記駆動部材は、前記第２の駆動領域で、前記規制部材を前記規制解除位置に保持することを特徴とする請求項２または３に記載のミラー駆動装置。
【請求項５】
前記規制手段は、前記規制部材を前記規制位置に向けて付勢する第１の付勢部材をさらに備え、
前記駆動部材は、前記第１の付勢部材の付勢力に抗して、前記規制部材を前記規制位置から前記規制解除位置へ駆動することを特徴とする請求項２ないし４のいずれか１項に記載のミラー駆動装置。
【請求項６】
前記ミラー駆動部材は、前記リードスクリューと噛み合い、
前記リードスクリューと前記ミラー駆動部材とのバックラッシュ量を前記リードスクリューと前記駆動部材とのバックラッシュ量より大きくすることで、前記第１の駆動領域が設定されることを特徴とする請求項２ないし５のいずれか１項に記載のミラー駆動装置。
【請求項７】
前記ミラー駆動部材は、前記ミラー部材と係合するミラー駆動部と、前記リードスクリューと噛み合い、前記ミラー駆動部に回転可能に取り付けられる回転噛合部とを有し、
前記規制部材が前記規制位置に位置する際には、前記ミラー駆動部に対する前記回転噛合部の回転が許容され、前記リードスクリューが回転駆動されても前記ミラー駆動部材が直進移動せず、
前記規制部材が前記規制解除位置に位置する際には、前記ミラー駆動部に対する前記回転噛合部の回転が規制され、前記リードスクリューが回転駆動されることで前記ミラー駆動部材が直進移動することを特徴とする請求項２ないし５のいずれか１項に記載のミラー駆動装置。
【請求項８】
前記回転噛合部には、突起が形成され、
前記突起が前記ミラー駆動部に当接しないときには、前記ミラー駆動部に対する前記回転噛合部の回転が規制されず、前記突起が前記ミラー駆動部に当接するときには、前記ミラー駆動部に対する前記回転噛合部の回転が規制されることを特徴とする請求項７に記載のミラー駆動装置。
【請求項９】
前記ミラー駆動部材は、前記突起が前記ミラー駆動部に当接するときに、前記突起を当接方向と反対方向に付勢する第２の付勢部材を有することを特徴とする請求項８に記載のミラー駆動装置。
【請求項１０】
前記駆動部材には、直進移動方向に所定の幅寸法を有する凹部が形成され、
前記ミラー駆動部材には、前記凹部に係合する係合部が形成され、
前記凹部は前記駆動部材の直進移動方向に所定の幅寸法を有し、前記凹部の幅寸法を前記ミラー駆動部材の直進移動方向における前記係合部の厚みより大きくして、前記凹部と前記係合部との間に隙間を形成することで、前記第１の駆動領域が設定されることを特徴とする請求項２ないし５のいずれか１項に記載のミラー駆動装置。
【請求項１１】
請求項１ないし１０のいずれか１項に記載のミラー駆動装置を備える撮像装置。
【手続補正２】
【補正対象書類名】明細書
【補正対象項目名】００４０
【補正方法】変更
【補正の内容】
【００４０】
しかし、ステップモーター２１３のコギングトルクが不十分な場合や、衝撃や振動がカメラボディ２００に加わった場合、リードスクリュー２１４がステップモーター２１３のコギングトルクに逆らって回転する。その結果、ミラー駆動ホルダー２１１が図４（ａ）の位置から矢印３００の方向に移動するおそれがある。
【手続補正３】
【補正対象書類名】明細書
【補正対象項目名】００８４
【補正方法】変更
【補正の内容】
【００８４】
図１３（ａ）および（ｂ）にて、リードスクリュー２１４を矢印３０３の方向に回転駆動すると、リードスクリュー２１４はバックラッシュ量ｚだけ空転した後、ロック解除ナット２１７の矢印３０１への方向に直進移動を開始する。このとき、リードスクリュー２１４の歯２１４ｂは駆動ナット２１０の歯２１０ａと噛み合っていないため、駆動ナット２１０は直進移動を開始しない。
【手続補正４】
【補正対象書類名】明細書
【補正対象項目名】０１０２
【補正方法】変更
【補正の内容】
【０１０２】
メインミラー２０２はミラーダウン位置とミラーアップ位置との間を移動可能なミラー部材として機能する。ミラー駆動ホルダー５１１はメインミラー２０２と係合するミラー駆動部として機能し、駆動ナット５１０はリードスクリュー２１４と噛み合い、ミラー駆動ホルダー５１１に回転可能に取り付けられる回転噛合部として機能する。駆動ナット５１０およびミラー駆動ホルダー５１１はリードスクリュー２１４が回転駆動されることで直進移動してメインミラー２０２をミラーダウン位置とミラーアップ位置との間で駆動するミラー駆動部材として機能する。ステップモーター２１３は駆動源として機能する。ロックレバー２１８は駆動ナット５１０およびミラー駆動ホルダー５１１の直進移動を規制する規制位置と規制を解除する規制解除位置との間を移動可能な規制部材として機能する。ロック解除ナット２１７はリードスクリュー２１４と噛み合い、リードスクリュー２１４が回転駆動されることで直進移動してロックレバー２１８を規制位置と規制解除位置との間で駆動する駆動部材として機能する。
【手続補正５】
【補正対象書類名】明細書
【補正対象項目名】０１０５
【補正方法】変更
【補正の内容】
【０１０５】
したがって、ガイド軸２１５もメインミラー２０２がミラーダウン位置となるときの駆動ピン２０２ｂと、メインミラー２０２がミラーダウン位置となるときの駆動ピン２０２ｂとを結ぶ線と略平行となるように駆動ユニットベース２１６配置される。
【手続補正６】
【補正対象書類名】明細書
【補正対象項目名】０１４０
【補正方法】変更
【補正の内容】
【０１４０】
図２４（ａ）に図示した状態から図２５（ａ）に図示した状態の間では、ロック解除ナット２１７が矢印３０１への方向に直進移動する。このとき、図２５（ｂ）に図示するように、駆動ナット５１０は、ミラー駆動ホルダー５１１に対して矢印５０３の方向に回転する。駆動ナット５１０は、ミラー駆動ホルダー５１１に対して矢印５０３の方向に回転するのみで、駆動ナット５１０は矢印３０１への方向に直進移動しない。
【手続補正７】
【補正対象書類名】明細書
【補正対象項目名】０１６０
【補正方法】変更
【補正の内容】
【０１６０】
図２９（ａ）に図示する状態から、駆動ナット６１０が矢印５０２の方向に回転するとき、トーションばね６３０は駆動ナット６１０の回転を後押しする。
【手続補正８】
【補正対象書類名】明細書
【補正対象項目名】０１６１
【補正方法】変更
【補正の内容】
【０１６１】
図２９（ｂ）に図示する状態は、図２９（ａ）に図示する状態から、駆動ナット６１０が矢印５０２の方向に回転させた状態である。この状態では、トーションばね６３０は駆動ナット６１０の回転を後押ししない。
【手続補正９】
【補正対象書類名】明細書
【補正対象項目名】０１６８
【補正方法】変更
【補正の内容】
【０１６８】
図３０に図示するように、ミラー駆動ユニットは、メインミラー２０２、ミラー駆動ホルダー７１１、駆動ナット７１０、リードスクリュー２１４、ステップモーター２１３、ロックレバー２１８、ガイド軸２１５で構成される。
【手続補正１０】
【補正対象書類名】明細書
【補正対象項目名】０１８１
【補正方法】変更
【補正の内容】
【０１８１】
そのため、ミラー駆動ホルダー７１１は、駆動ナット保持部７１１ｂが駆動ナット７１０の上下端のストッパ部に当接する位置まで、ガイド軸に沿って移動することができる。すなわち、ミラー駆動ホルダー７１１は、凹部７１０ｂと駆動ナット保持部７１１ｂの厚みの差分（Ｔ−Ｓ）だけ、ガイド軸に沿って直進移動できる。
【手続補正１１】
【補正対象書類名】図面
【補正対象項目名】図１２
【補正方法】変更
【補正の内容】
【図１２】
2015018213.tif 000001
【手続補正１２】
【補正対象書類名】図面
【補正対象項目名】図１８
【補正方法】変更
【補正の内容】
【図１８】
2015018213.tif 000002
【手続補正１３】
【補正対象書類名】図面
【補正対象項目名】図２９
【補正方法】変更
【補正の内容】
【図２９】
2015018213.tif 000003